(57)【要約】【課題】  録音レベルを容易に確認することができる携帯通信端末及びその録音レベル通知方法を提供することを目的とする。【解決手段】  本発明に係る携帯通信端末は、入力された音を録音する携帯電話機１であって、発光する発光部１５と、入力された音を記憶する記憶部１７と、入力された音のレベルを判定し、この判定レベルに基づいて発光部１５の発光を制御するＣＰＵ部１８とを有するものである。そして、携帯電話機１のＣＰＵ部１８は、その判定レベルに応じて発光部１５の発光強度を制御することができる。【選択図】  図２
2005244393.tif 000002
【特許請求の範囲】
【請求項１】
入力された音を録音する携帯通信端末であって、
発光する光源と、
入力された音のレベルを判定する判定部と、
前記入力された音を記憶する記憶部と、
前記判定部による判定レベルに基づいて前記光源の発光を制御する制御部とを有する携帯通信端末。
【請求項２】
前記制御部は、前記判定レベルに応じて前記光源の発光強度を制御することを特徴とする請求項１記載の携帯通信端末。
【請求項３】
前記制御部は、点灯と消灯を繰り返すように前記光源を制御し、さらに、前記判定レベルに応じて発光時間と消灯時間を変化させることを特徴とする請求項１記載の携帯通信端末。
【請求項４】
前記記憶部は、前記判定レベルに対応付けて、前記光源点灯時間と消灯時間との関係を示すデータを保持し、
前記制御部は、周期的に前記光源の点灯と消灯を繰り返し、前記データに基づいて前記光源の点灯時間と消灯時間の比率を変化させることによって前記光源の発光強度を制御することを特徴とする請求項２記載の携帯通信端末。
【請求項５】
前記光源を駆動する駆動部をさらに備え、前記駆動部は、
前記光源に入力される駆動信号をＯＮ／ＯＦＦし、前記光源を点灯及び消灯させるスイッチング素子と、
前記スイッチング素子に周期的に入力されるパルス信号のパルス幅を変調するパルス幅変調回路とを有することを特徴とする請求項４に記載の携帯通信端末。
【請求項６】
入力された音を録音する携帯通信端末であって、
第１の発光色を発光する第１の光源と、
前記第１の発光色と異なる第２の発光色を発光する第２の光源と、
入力された音のレベルを判定する判定部と、
前記入力された音を記憶する記憶部と、
前記判定部による判定レベルに基づいて、前記第１の光源と前記第２の光源の発光を制御する制御部とを有する携帯通信端末。
【請求項７】
前記制御部は、前記第１の光源と前記第２の光源の発光強度を制御して発光色を変化させることを特徴とする請求項７記載の携帯通信端末。
【請求項８】
前記制御部は、前記第１の光源と前記第２の光源とを合わせた全体の発光強度が略一定となるように、前記第１の光源と前記第２の光源の発光強度を制御することを特徴とする請求項７記載の携帯通信端末。
【請求項９】
携帯通信端末において、入力された音の録音レベルを通知する方法であって、
入力された音のレベルを判定するステップと、
前記入力された音を記憶するステップと、
前記判定するステップによる判定レベルに基づいて光源の発光を制御するステップとを備えた携帯通信端末の録音レベル通知方法。
【請求項１０】
第１の発光色で発光する第１の光源と当該第１の発光色と異なる第２の発光色で発光する第２の光源とを有する携帯通信端末に入力された音の録音レベルを通知する方法であって、
入力された音のレベルを判定するステップと、
前記入力された音を記憶するステップと、
前記判定するステップによる判定レベルに基づいて前記第１の発光色及び前記第２の発光色を合わせた全体の発光色を制御するステップとを備えた携帯通信端末の録音レベル通知方法。
【発明の詳細な説明】
【技術分野】
【０００１】
本発明は、携帯通信端末及びその録音レベル通知方法に関し、特に、音声録音機能を有する携帯通信端末及びその録音レベル通知方法に関する。
【背景技術】
【０００２】
従来から、留守番機能を備えた電話機やファクシミリ装置が普及している。この留守番機能を用いると、留守番中に電話がかかってくると、応答メッセージで留守である旨が通話の相手方に通知される。相手方は、この応答メッセージによって留守であることを了解すると、伝言メッセージを録音テープや半導体メモリに録音することができる。
また、このような留守番機能において、使用者自身が、留守である旨を通知する応答メッセージを録音することもできる。この応答メッセージの録音機能を備えたファクシミリ装置の一例が、特許文献１に開示されている。この特許文献１に開示されたファクシミリ装置には、応答メッセージの録音機能だけでなく、録音中の応答メッセージの音量レベルを表示する音量レベル表示機能が備えられている。
【０００３】
近年、携帯電話機の普及にともなって、従来の留守番機能と同様な携帯電話機に対する留守番電話サービスが提供されるようになった。携帯電話機の場合、相手方の伝言メッセージは基地局にあるサーバに録音され、伝言メッセージが録音された旨が携帯電話機に対して通知される。携帯電話機の所有者は、この通知によって伝言メッセージの存在を知り、このサーバと通信して伝言メッセージを聞くことができる。
【０００４】
他方、今日の携帯電話機には、携帯電話機自体に留守番機能が搭載され、携帯電話機自体に相手方の伝言メッセージを録音することが可能になっている。また、携帯電話機がこのボイスレコーダ機能を有し、相手方の伝言メッセージのみならず、使用者自身の音声メモや使用者自身が作成したオリジナルの留守番メッセージを録音することができる。
【０００５】
このようなボイスレコーダ機能を有する携帯電話機の中には、通話中に録音している音声の録音レベルを表示する機能を備えた携帯電話機もある。図１０の外観図に、この録音レベル表示機能を備えた携帯電話機の一例が示されている。図１０において、９０１は従来の携帯電話機、９１１はマイク部、９１２はスピーカー部、９１３は入力部、９１４は表示部、９１５は発光部である。
【０００６】
図１０に示すように、通話中、携帯電話機９０１のマイク部９１１から使用者の音声が入力され、スピーカー部９１２から相手方の音声が出力される。通話中や非通話中に音声を録音する場合、使用者は、入力部９１３を操作することによって、ボイスレコーダ機能を起動して録音可能な状態にする。ボイスレコーダ機能の起動とともに、表示部９１４には、音声の録音時間や録音レベルが表示される。表示部９１４に表示された表示内容によって、使用者への録音レベルの通知が行われる。また、携帯電話機１における発光部９１５は、主として着信時の状態通知に用いられる。そのため、発光部９１５は、一般に、視認性のよい場所に設けられる。この発光部９１５は、着信時に点灯するが、通話開始後には、未点灯状態となる。
【０００７】
従来の携帯電話機９０１においては、表示部９１４の視野角、携帯電話機９０１と発声者である使用者との位置関係等によって、使用者の目視可能な範囲に制約があった。特に、複数人にて録音機能を使用する場合は、発声者と携帯電話機の位置関係によって、録音レベルが目視できない場合がある。この場合、発声者は録音レベルを確認できないまま、発言することとなり、結果的には、音声録音レベルが小さいまま録音されてしまう。
【０００８】
さらに、従来の携帯電話機９０１においては、表示部９１４に録音レベル表示するために、携帯電話機の各種動作を制御するＣＰＵにおいて、表示データの作成、表示データの座標計算、表示部９１４への書き込みなど多くの処理を行う必要がある。そのため、マイク部９１１より入力された音声録音レベルを、即座に表示部９１４に反映させることが難しかった。その結果、マイク部９１１より入力された音声に対して、表示部９１４で確認できるまでに遅延が生じ、この表示機能の使い勝手が悪かった。
【特許文献１】特開平１１−１１２６４４号公報
【発明の開示】
【発明が解決しようとする課題】
【０００９】
本発明は、このような問題点を解決するためになされたもので、録音レベルを容易に認識することができる携帯通信端末及びその録音レベル通知方法を提供することを目的とする。
【課題を解決するための手段】
【００１０】
本発明に係る携帯通信端末は、入力された音を録音する携帯通信端末であって、発光する光源と、入力された音のレベルを判定する判定部と、前記入力された音を記憶する記憶部と、前記判定部による判定レベルに基づいて前記光源の発光を制御する制御部とを有するものである。
【００１１】
好適には、前記制御部は、前記判定レベルに応じて前記光源の発光強度を制御する。
このような構成においては、光源の発光強度によって録音レベルを通知することができるので、使用者は録音レベルを容易に認識することができる。
【００１２】
さらに、前記制御部は、点灯と消灯を繰り返すように前記光源を制御し、前記判定レベルに応じて発光時間と消灯時間を変化させる。
【００１３】
また、前記記憶部は、前記判定レベルに対応付けて、前記光源点灯時間と消灯時間との関係を示すデータを保持し、前記制御部は、周期的に前記光源の点灯と消灯を繰り返し、前記データに基づいて前記光源の点灯時間と消灯時間の比率を変化させることによって前記光源の発光強度を制御する。
【００１４】
さらに、本発明に係る携帯通信端末は、前記光源を駆動する駆動部をさらに備え、前記駆動部は、前記光源に入力される駆動信号をＯＮ／ＯＦＦし、前記光源を点灯及び消灯させるスイッチング素子と、前記スイッチング素子に周期的に入力されるパルス信号のパルス幅を変調するパルス幅変調回路とを有するものである。
【００１５】
他方、本発明に係る携帯通信端末は、入力された音を録音する携帯通信端末であって、第１の発光色を発光する第１の光源と、前記第１の発光色と異なる第２の発光色を発光する第２の光源と、入力された音のレベルを判定する判定部と、前記入力された音を記憶する記憶部と、前記判定部による判定レベルに基づいて、前記第１の光源と前記第２の光源の発光を制御する制御部とを有するものである。
【００１６】
好適には、前記制御部は、前記第１の光源と前記第２の光源の発光強度を制御して発光色を変化させる。
このような構成において、第１の光源と第２の光源による全体の発光色が変化することによって録音レベルを通知することができるので、使用者は録音レベルを容易に認識することができる。
【００１７】
さらに、前記制御部は、前記第１の光源と前記第２の光源とを合わせた全体の発光強度が略一定となるように、前記第１の光源と前記第２の光源の発光強度を制御する。
【００１８】
本発明に係る携帯通信端末の録音レベル通知方法は、携帯通信端末において、入力された音の録音レベルを通知する方法であって、入力された音のレベルを判定するステップと、前記入力された音を記憶するステップと、前記判定するステップによる判定レベルに基づいて光源の発光を制御するステップとを備えたものである。
このような構成においては、光源の発光強度によって録音レベルを通知することができるので、使用者は録音レベルを容易に認識することができる。
【００１９】
他方、本発明に係る携帯通信端末の録音レベル通知方法は、第１の発光色で発光する第１の光源と当該第１の発光色と異なる第２の発光色で発光する第２の光源とを有する携帯通信端末に入力された音の録音レベルを通知する方法であって、入力された音のレベルを判定するステップと、前記入力された音を記憶するステップと、前記判定するステップによる判定レベルに基づいて前記第１の発光色及び前記第２の発光色を合わせた全体の発光色を制御するステップとを備えたものである。
このような構成において、第１の光源と第２の光源による全体の発光色が変化することによって録音レベルを通知することができるので、使用者は録音レベルを容易に認識することができる。
【発明の効果】
【００２０】
本発明によれば、録音レベルを容易に認識することができる携帯通信端末を提供することができる。
【発明を実施するための最良の形態】
【００２１】
以下、本発明を実施するための最良の形態について説明する。また以下においては、使用者が通話していない状態（非通話状態）で自分の音声を録音する場合について説明するが、本発明は、通話中に相手方の音声を録音したり、相手方の音声とともに自分の音声を録音したりする場合についても同様に適用可能である。
【００２２】
発明の実施の形態１．
まず、図１を用いて、本発明に係る携帯電話機の全体構成について概略的に説明する。図１は、携帯電話機の全体構成の一例を示す外観図であり、符号１によって、この携帯電話機が全体的に示されている。図１において、１１はマイク部、１２はスピーカー部、１３は入力部、１４は表示部、１５は発光部である。これらの詳細については後述する。
【００２３】
図１に示すように、図示しない使用者は、携帯電話機１のスピーカー部１２、マイク部１１によって相手方と通話を行うことができる。使用者は、自分の音声を録音するとき、入力部１３を操作してボイスレコーダ機能を開始させる。この操作によって、表示部１４には録音時間が表示され、ボイスレコーダ機能が起動中であることが通知される。このボイスレコーダ機能の起動にともなって、携帯電話機１の発光部１５の発光が制御される。この発光部１５は光源を備え、入力音のレベルに応じて発光強度が変化する。
【００２４】
次に、本形態に係る携帯電話機１の構成について詳細に説明する。尚、以下において音声認識を例にして説明するが、音声以外の音の認識についても同様である。まず、本発明に係る携帯電話機１の内部構成について説明する。図２のブロック図に、この携帯電話機１の一構成が示されている。図２に示すように、携帯電話機１は、マイク部１１、スピーカー部１２、入力部１３、表示部１４、発光部１５に加えて、無線部１６、記憶部１７、ＣＰＵ部１８を備えている。
【００２５】
マイク部１１は、マイクロホン１１１、ＡＤ変換部１１２等から構成されている。マイク部１１は、マイクロホン１１１によって録音時及び通話時の音声をマイクロホン１１１によって集音し、ＡＤ変換部１１２によってアナログレベルの電気信号をデジタルデータに変換する。スピーカー部１２は、ＤＡ変換部１２１、スピーカー１２２等から構成されている。スピーカー部１２は、ＤＡ変換部１２１によって録音時及び通話時の音声を示すデジタルデータをアナログレベルの電気信号に変換し、スピーカー１２２によって音声を出力する。
【００２６】
入力部１３は、操作ボタン、この操作ボタンの押下を電気信号に変換する回路等から構成され、使用者が携帯電話機１を操作する。表示部１４は、液晶表示装置等から構成され、使用者に対して音声録音時の状態や携帯電話機１の状態を通知する。
【００２７】
発光部１５は、発光を変化させることによって使用者に対して録音時の状態及び通信状態を通知する。この発光部１５を制御する制御回路の一構成例が、図３に示されている。図３において、発光部１５が全体的に示され、１５１はＰＷＭ（パルス幅変調）回路、１５２は発光素子制御用トランジスタ（以下、これを制御用トランジスタ１５２と略す）、１５３は光源である発光素子である。発光素子としては、発光ダイオード有機ＥＬなどを使用することができる。無線部１６は、復調回路や変調回路等から構成され、データを送受信する。
【００２８】
記憶部１７は、ＲＡＭ、ＲＯＭ等から構成され、携帯電話機１を動作させるための各種プログラムやアプリケーション、ボイスレコーダ機能によって録音される音声データ、送受信データや表示データ、使用者からの入力データ、携帯電話機１の状態を示すデータ等を保持する。
記憶部１７は、後述するように、ＣＰＵ部１８が音声の認識レベルの解析をするために用いる複数の閾値を保持している。さらに、記憶部１７は、ＣＰＵ部１８の認識レベルとＰＷＭ回路１５１を制御する出力幅とを対応付けたＯＮ／ＯＦＦ比テーブルを保持している。ＣＰＵ部１８は、中央演算処理装置であり、プログラムに従って動作することによって各部の制御、各種演算等を行う。
【００２９】
ＯＮ／ＯＦＦ比テーブルの一例が、図４に示されている。図４に示すように、ＯＮ／ＯＦＦテーブルは、発光部１５の制御用トランジスタ１５２をＯＮするＯＮ区間ＬONとＯＦＦするＯＦＦ区間ＬOFFとの比を示している。以下、このＯＮ区間ＬONとＯＦＦ区間ＬOFFとの比率をＯＮ/ＯＦＦ比と記載する。図４に示された複数のＯＮ／ＯＦＦ比はそれぞれ、ＣＰＵ部１８が認識する音声認識レベルに対応付けられている。
図４において、ＣＰＵ部１８が認識する音声認識レベルは６段階に設定されている。すなわち、最もＯＮ時間の短い認識レベル０に対応するＯＮ／ＯＦＦ比は、最もＯＮ時間の長い認識レベル５のＯＮ／ＯＦＦ比の逆数となり、認識レベル１に対して認識レベル４、認識レベル２に対して認識レベル３のそれぞれについて互いに逆数の関係となっている。
【００３０】
続いて、図５を用いて、本発明に係る携帯電話機１の動作について説明する。図５は、この携帯電話機１の動作の一例を示すフローチャートである。この説明に際して、図６を適宜参照しながら説明する。図６には、マイク部１１の入力波形、ＣＰＵ部１８の認識レベル、制御用トランジスタ１５２のＯＮ／ＯＦＦ区間、ＰＷＭ回路１５１からの出力波形の一例が示されている。
【００３１】
図５に示すように、使用者の音声は、マイク部１１のマイクロホン１１１から、アナログデータとして入力される（Ｓ１０１）。すると、ＡＤ変換部１１２は、ＣＰＵ部１８において処理可能となるようにこのアナログデータをデジタルデータに変換し（Ｓ１０２）、この使用者の音声を示すデジタルデータをＣＰＵ部１８に入力する。ＣＰＵ部１８は、ボイスレコーダ機能を動作するためのプログラムに従って、入力されたデジタルの音声データを記憶部１７に格納する。それとともに、ＣＰＵ部１８は、記憶部１７から音声の認識レベルを解析するためのプログラムを読み込む。このとき、ＣＰＵ部１８は、記憶部１７から、この解析プログラムにおいて複数の閾値を記憶部１７から読み込み、入力された音声認識レベルの解析を開始する（Ｓ１０３）。ＣＰＵ部１８はプログラムに従って動作することで判定部として機能し、例えば、これらの閾値と入力された音声の入力レベルとを比較し、入力レベルの判定処理を行う（Ｓ１０４）。
【００３２】
具体的には、図６に示すような音声波形の音声が、マイク部１１からＡＤ変換された後にＣＰＵ部１８に入力される。判定部として機能するＣＰＵ部１８は、記憶部１７から読み込んだ複数の閾値と、入力された音声量つまりマイク部１１に入力された音声の振幅とを比較し、入力された音声の音声認識レベルを図４に示された６段階の認識レベル０〜５に判別する。図６においては、ＣＰＵ部１８は、時刻ｔ１〜ｔ９の各区間における入力された音声の認識レベルをそれぞれ、認識レベル２、１、２、１、３、５、３、４、２と判定している。このような認識レベルは、ボイスレコーダ機能によって記憶部１７に記憶される音声の録音レベルを示す。
【００３３】
ＣＰＵ部１８は、図４に示したＣＰＵ部１８の認識レベルとＰＷＭ回路１５１のＯＮ／ＯＦＦ比テーブルを参照し、認識した音声認識レベルに応じたＰＷＭ制御パラメータを取得する（Ｓ１０５）。ＣＰＵ部１８は、取得したＰＷＭ制御パラメータを元にしてＰＷＭ回路１５１を制御する制御信号を生成し（Ｓ１０６）、発光部１５のＰＷＭ回路１５１に入力する。例えば、図６においては、時刻ｔ１〜ｔ２において、入力された音声は認識レベル２と判別されている。この場合、ＣＰＵ部１８は、図４に示したＯＮ／ＯＦＦ比テーブルを参照して各パラメータＬON、ＬOFFの値として４、６を読み込み、これらのパラメータに基づいて制御信号を生成する。このようなＣＰＵ部１８が生成する制御信号は、ＰＷＭ回路１５１にＰＷＭ制御パラメータに基づいてパルス幅を変更させるための信号である。
【００３４】
ＰＷＭ回路１５１は、入力された制御信号に基づいてパルス状の信号におけるパルス幅を変化させ（Ｓ１０７）、このパルス幅が変えられたパルス信号を制御用トランジスタ１５２に出力する。このパルス幅は、ＯＮ区間とＯＦＦ区間のＯＮ／ＯＦＦ比によって定まり、具体的には比率ＬON／ＬOFFによって決定される。ＰＷＭ回路１５１は、このパルス幅に応じて、制御用トランジスタ１５２のＯＮ／ＯＦＦを制御し、制御用トランジスタ１５２のＯＮ時間を制御する。
図６において、時刻ｔ１〜ｔ２において、ＣＰＵ部１８が認識レベル２と判別したので、ＰＷＭ回路１５１は、制御用トランジスタ１５２を周期Ｔの間に比率４／６でＯＮ／ＯＦＦする。これと同様に、時刻ｔ１〜ｔ９の各区間において、ＰＷＭ回路１５１はそれぞれ、ＣＰＵ部１８が認識する音声の認識レベルから、２／８、４／６、２／８、２／８、６／４、１０／０、６／４、８／２、４／６の各比率で制御用トランジスタ１５２のＯＮ／ＯＦＦを制御する。
【００３５】
制御用トランジスタ１５２のＯＮ／ＯＦＦが制御されると、発光素子１５３を駆動させる駆動電源が、この変化したパルス幅に応じて周期Ｔの間にＯＮ／ＯＦＦされる。これによって、周期的な短時間内で発光素子１５３の発光・消灯の制御が行われる。このように制御用トランジスタ１５２が周期的に短時間内で発光・消灯を行うと、人の目には発光素子１５３が放射する光の強度が変化して見える。すなわち、発光素子１５３の発光強度が変化する（Ｓ１０８）。これによって、認識レベル０〜５の順にしたがって、ＯＮ区間の比率が高く、この順に発光素子１５３は発光強度高く発光し、使用者が録音レベルを確認することができる。
【００３６】
図６においては、時刻ｔ６〜ｔ７において、マイク部１１に入力される信号の振幅が小さいため、ＣＰＵ部１８は認識レベル５と判別している。そのため、ＰＷＭ回路１５１が制御用トランジスタ１５２に対して出力するパルスは周期ＴにおいてＯＮのままであり、発光素子１５３は点灯し続けている。使用者は、発光素子１５３の連続的な点灯によって発光部１５の発光強度が高く視認することができ、携帯電話機１の音声録音レベルが低いことを知ることができる。
逆に、時刻ｔ４〜ｔ５において、マイク部１１に入力される信号の振幅が大きい。ＣＰＵ部１８は認識レベル１と判別し、パルスのＯＮ／ＯＦＦ比が２／８となるような制御信号を出力する。これによって、ＣＰＵ部１８は、ＰＷＭ回路１５１を介して、周期Ｔにおいて比率２／８でＯＮ／ＯＦＦするように制御用トランジスタ１５２を制御して発光素子１５３の発光を制御する。これによって、使用者は、発光素子１５３が比較的小さい発光強度で発光するのを視認するので、携帯電話機１の音声録音レベルが高いことを知ることができる。
【００３７】
以上のように、本形態に係る携帯電話機１においては、表示部１４に録音レベルを表示するのではなく、発光部１５の点灯状態、すなわち発光部１５の発光強度を音声の大小にともなって変化させる。これによって、本発明に係る携帯電話機１においては、発光部１５の発光強度の変化によって録音レベルの通知を行うことが可能となる。
したがって、使用者は表示部１４の視野角による制約から解放され、携帯電話機１の表示部１４の方向によることなく録音レベルの通知が可能となり、使用者の利便性を向上させることができる。特に、複数人にて音声録音機能を使用する場合であっても、複数人のそれぞれは、どの場所からでも発光部１５の発光強度の変化を視認することができる。それゆえ、携帯電話機１と発声者の位置関係による制約が大幅に低減することができ、利便性の向上を図ることができる。
【００３８】
さらに、本形態に係る携帯電話機１においては、表示部１４における録音レベルの通知が必要なくなるので、ＣＰＵ部１８は表示部１４に表示するための表示データ等の各種データ処理をする必要がなくなる。
具体的には、ＣＰＵ部１８が行う表示部１４の制御としては、表示データの作成、描画範囲の算出、描画処理の演算を行う必要がある。そのため、表示部１４に録音レベルを表示する場合には、マイク部１１から入力された音声に対して、表示部１４に録音レベルが反映されるまで、ＣＰＵ部１８が処理する時間が必要となる。
これに対して、本発明に係る携帯電話機１では、ＣＰＵ部１８は、発光部１５のＰＷＭ回路１５１の制御を行うのみとなり、ＰＷＭ回路１５１の制御は、パルス幅の制御を行うのみである。したがって、表示部１４を制御して録音レベルを表示するのに対して、ＣＰＵ部１８の処理量・演算量を大幅に削減することが可能となる。これによって、マイク部１１より入力された音声に対し、発光部１５の発光強度変更が短時間で可能となり、遅延の少ない録音レベル通知が可能となり、使用者の利便性を向上させることができる。
【００３９】
なお、ＣＰＵ部１８が行う音声認識レベルの判定において用いられる閾値は、少なくとも３つ以上設けられるのが好ましい。具体的には、この閾値が１つしか設けられない場合には、ＣＰＵ部１８が認識する録音レベルが、この１つの閾値に対して、大きいか若しくは小さいかのいずれか一方しか判別することができない。そのため、発光部１５は発光状態及び消灯状態の２状態にしかならない。このように発光部１５が２状態でしか発光・消灯しかしないのでは、録音レベルの通知としては使い勝手の悪いものとなってしまう。
【００４０】
これに対して、閾値が少なくとも３つ以上設けられた場合には、ＣＰＵ部１８は、この３つ以上の閾値に基づいて音声の認識レベルを判別し、ＰＷＭ回路１５１を介して発光部１５の点灯制御を行う。これによって、音声の大小にともなって発光部１５の発光強度をより多段階に制御することが可能となり、使用者にとって視認しやすいように録音レベルの通知を行うことができる。
【００４１】
発明の実施の形態２．
発明の実施の形態２においては、発光部を複数色にした場合について説明する。なお、本実施形態においては、２色の発光部が設けられた場合について説明するが、これに限らず、３色以上の複数色としてもよい。
図７に、本実施形態における発光部を制御する制御回路の他の構成例が示され、図７において、符号３０１，３０２によって発光部が全体的に示されている。また、図７において、３１１，３１２はＰＷＭ回路、３２１，３２２は制御用トランジスタ、３３１，３３２は発光素子である。また、発光素子３３１，３３２は、赤色と青色のような互いに異なった色で発光する発光素子である。
【００４２】
図８に、本実施形態において記憶部１７が保持するＯＮ／ＯＦＦ比テーブルが示されている。ＯＮ／ＯＦＦ比テーブルは、光源ごとにＯＮ／ＯＦＦ比と判定された入力レベルを対応付けるテーブルを備えている。図８において、Ｌ１ONは制御用トランジスタ３２１のＯＮ区間、Ｌ１OFFは制御用トランジスタ３２１のＯＦＦ区間、Ｌ２ONは制御用トランジスタ３２２のＯＮ区間、Ｌ２OFFは制御用トランジスタ３２２のＯＦＦ区間である。
【００４３】
図８に示すように、本実施形態においては、記憶部１７は、ＰＷＭ回路３１１が制御用トランジスタ３２１を制御するためのＯＮ／ＯＦＦ比（ＯＮ区間Ｌ１ONとＯＦＦ区間Ｌ１OFFとの比率）を保持している。それとともに、記憶部１７は、ＰＷＭ回路３１２が制御用トランジスタ３２２を制御するためのＯＮ／ＯＦＦ比（ＯＮ区間Ｌ２ONとＯＦＦ区間Ｌ２OFFとの比率）を保持している。これらの２種類のＯＮ／ＯＦＦ比はそれぞれ、ＣＰＵ部１８の認識レベルに対応して格納されている。
また、制御用トランジスタ３２１を制御するためのＯＮ／ＯＦＦ比は、制御用トランジスタ３２２を制御するためのＯＦＦ／ＯＮ比の逆数となるように設定されている。すなわち、発光素子３３１，３３２は、これらの発光強度が合わせて一定の発光強度となるように、制御用トランジスタ３２１，３２２によって制御される。
【００４４】
次に、図９を用いて、本発明に係る携帯電話機１の動作について具体的に説明する。図９は、本実施形態におけるマイク部１１の入力波形、ＣＰＵ部１８の認識レベル、制御用トランジスタ３２１，３２２のＯＮ／ＯＦＦ区間、ＰＷＭ回路３１１，３１２からの出力波形の一例を示す図である。
【００４５】
図９に示すように、時刻ｓ１〜ｓ２において、ＣＰＵ部１８が認識レベル２と判別すると、図８に示されたＯＮ／ＯＦＦ比テーブルを参照し、発光部３０１を制御するためのパラメータを取得する。具体的には、ＣＰＵ部１８は、制御用トランジスタ３２１を制御するためのＯＮ／ＯＦＦ比として比率４／６を取得する。ＣＰＵ部１８は、これに基づいて制御信号を生成し、ＰＷＭ回路３１１を介して制御用トランジスタ３２１のＯＮ／ＯＦＦを制御する。ＣＰＵ部１８は、これと同様に、制御用トランジスタ３２２を制御するためのＯＮ／ＯＦＦ比として比率６／４を記憶部１７から取得し、これに基づいてＰＷＭ回路３１２を介して制御用トランジスタ３２２のＯＮ／ＯＦＦを制御する。
【００４６】
制御用トランジスタ３２１，３２２が制御されることによって、発光素子３３１，３３２それぞれは、それぞれ異なる発光強度で発光する。図９に示された時刻ｓ１〜ｓ２においては、発光素子３３１は比較的弱い発光強度で発光し、発光素子３３１は比較的強い発光強度で発光する。このとき、制御用トランジスタ３２１，３２２のそれぞれのＯＮ／ＯＦＦ比が逆数の関係にあるため、異色に発光する各発光素子３３１，３３２は、それぞれ異なる発光強度で発光するが、発光素子３３１，３３２を合わせた発光強度は、常に一定の発光強度に維持されている。
【００４７】
詳細には、音声の録音レベルが最小のときは、青の発光素子３３１のみが発光する。音声の録音レベルが大きくなるにつれて、赤の発光素子３３１と青の発光素子３３２の中間色を経て、録音レベルが最大レベルに達した場合に、赤の発光素子３３２のみの点灯する。また、中間色の制御は、ＰＷＭ回路３１１，３１２が発光状態の点灯時間（ＯＮ時間）を制御することによって、中間色の発光が可能となる。
【００４８】
このように、複数の発光部３０１，３０２を設け、これらを個別に制御する場合、音声の録音レベルに応じて、色の変化による音声の録音レベル通知が可能となる。したがって、色が変化することによって、音声の録音レベル通知がより視認性よく行うことができ、さらなる使い勝手の向上を図ることができる。さらに、発光部３０１，３０２の発光色による録音レベルを通知することによって、携帯電話機１の周囲の明るさによる影響を受けない録音レベル通知が可能となり、より一層、利便性の向上を図ることができる。
【００４９】
その他の実施の形態．
上記実施形態において、ＣＰＵ部１８が入力された音声の解析処理をしてＰＷＭ回路を制御することによって、発光部１５，３０１，３０２の発光強度を制御したが、ハードウェアのみで構成することによって、この発光部の制御を行うこともできる。例えば、マイク部１１より入力されたアナログレベルの電気信号をもとに、アンプ等により増幅し、発光部の制御を行う回路構成がある。
【００５０】
このように、ハードウェアのみで発光部１５の制御回路を構成することで、ＣＰＵ部１８が行う録音レベルの解析処理は必要なくなるので、ＣＰＵ部１８の負荷低減となる。また、音声が入力されて録音レベルを通知するまでの遅延はより一層短くなり、さらなる使い勝手の向上を図ることが可能となる。
【００５１】
なお、本発明を実施するための最良の形態においては、録音レベルを発光部の発光強度によって通知する場合を説明したが、従来のように表示部に録音レベルを表示する表示機能を併用して録音レベル通知しもよい。
【００５２】
またなお本発明を実施するための最良の形態においては、携帯電話機を用いて説明したが、これに限らず、ＩＣレコーダ、ＰＤＡ（Personal Digital Assistance）等の音声録音機能を有する他のモバイル機器にも適用することが可能である。特に、表示部が小さなモバイル機器において、録音状態を表示したとしても目視が困難であるため、上記効果を顕著に発揮することができる。
【図面の簡単な説明】
【００５３】
【図１】本発明に係る携帯電話機の全体構成の一例を示す外観図である。
【図２】本発明に係る携帯電話機の内部構成の一例を示すブロック図である。
【図３】本発明に係る携帯電話機における発光部の回路構成の一例を示す回路図である。
【図４】本発明に係る携帯電話機における発光部を制御するための出力幅の一例を示すテーブルである。
【図５】本発明に係る携帯電話機の動作の一例を示すフローチャートである。
【図６】本発明に係る携帯電話機における発光部の駆動波形の一例を示す図である。
【図７】本発明に係る携帯電話機における発光部の回路構成の他の一例を示す回路図である。
【図８】本発明に係る携帯電話機における発光部を制御するための出力幅の他の一例を示すテーブルである。
【図９】本発明に係る携帯電話機における発光部の駆動波形の他の一例を示す図である。
【図１０】従来の携帯電話機の全体構成の一例を示す外観図である。
【符号の説明】
【００５４】
１…携帯電話機、１１…マイク部、１２…スピーカー部、１３…入力部、１４…表示部、１５…発光部、１５１…ＰＷＭ回路、１５２…制御用トランジスタ、１５３…発光素子、１６…無線部、１７…記憶部、１８…ＣＰＵ部
３０１，３０２…発光部、３１１，３１２…ＰＷＭ回路、３２１，３２２…制御用トランジスタ、３３１，３３２…発光素子
【図１】
2005244393.tif 000003
【図２】
2005244393.tif 000004
【図３】
2005244393.tif 000005
【図４】
2005244393.tif 000006
【図５】
2005244393.tif 000007
【図６】
2005244393.tif 000008
【図７】
2005244393.tif 000009
【図８】
2005244393.tif 000010
【図９】
2005244393.tif 000011
【図１０】
2005244393.tif 000012